(57)【要約】【課題】  本発明は、建設作業時に生じ得る振動により、シリンダ保護カバーがシリンダ又はシリンダガイドと衝突することを防止するシリンダ保護装置を提供する。【解決手段】  シリンダロッドヘッドに一端が固定され、且つシリンダの長手方向に他端が延長されて、シリンダロッドとシリンダとを保護するとともに、シリンダロッドが伸縮移動することによって移動できるシリンダ保護カバーと、前記シリンダの外面に装着され、前記シリンダ保護カバーの移動を案内するシリンダガイドと、前記シリンダ保護用カバーの内側に装着され、且つ、該一面の形状は、前記シリンダカイドの一面と接触面をなすよう前記シリンダガイドの形状に対応する衝撃吸収材とを包含して構成される。【選択図】  図３
2005320848.tif 000002
【特許請求の範囲】
【請求項１】
シリンダロッドヘッドに一端が固定され、シリンダの長手方向に他端が延長されて、シリンダロッドとシリンダとを保護し、且つ、シリンダロッドが伸縮移動することにより移動するシリンダ保護カバーと、
前記シリンダの外面に装着され、前記シリンダ保護カバーの移動を案内するシリンダガイドと、
前記シリンダ保護カバーの内側に装着され、且つ、該一面の形状は、前記シリンダカイドの一面と接触面をなすよう前記シリンダガイドの形状に対応する衝撃吸収材とを、含むことを特徴とするシリンダ保護装置。
【請求項２】
前記シリンダ保護カバーは、横方向に両端が折り曲げられ、両端部の断面がコ字状の内部空間を有することを特徴とする請求項１に記載のシリンダ保護装置。
【請求項３】
前記衝撃吸収材は、前記シリンダ保護カバーに形成された前記内部空間に装着され、該一面には溝が設けられ、且つ、前記シリンダガイドは、前記シリンダ保護カバーが移動できるよう前記衝撃吸収材の前記溝に挿入されることを特徴とする請求項２に記載のシリンダ保護装置。
【請求項４】
前記衝撃吸収材は、内部に貫通孔が形成されてボルト結合により締め付けられることを特徴とする請求項１ないし３に記載のシリンダ保護装置。
【請求項５】
前記衝撃吸収材の材質は、ポリウレタンであることを特徴とする請求項１に記載のシリンダ保護装置。
【発明の詳細な説明】
【技術分野】
【０００１】
本発明は、掘削機などのような建設重装備に用いられるシリンダ保護装置に関するものであって、さらに詳細には、シリンダとシリンダロッダとが損傷されることを防止するとともに、シリンダロッダの装着部とシリンダ保護カバーとのギャップにより異音が生じることを防止するシリンダ保護装置に関する。
【背景技術】
【０００２】
一般に、掘削機などのような建設重装備に用いられる油圧シリンダは、シリンダロッダが伸縮移動することにより作業が行われるが、この際、シリンダロッダは外部に露出されることになる。しかし、作業環境は、埃や土砂などが発生し得るような劣悪な環境であるため、シリンダロッドの表面に微塵などの不純物が付着されてシリンダ内部へ流入されたり、シリンダロッドを傷つけたりすることになる。
【０００３】
その他に、石や岩などによりシリンダロッドが、直接、衝撃を受けたり、表面の不純物により化学的反応が起こり、シリンダロッドが損傷され得るといった問題点を抱えていた。従って、かかる問題点等を解決するためにシリンダロッドを保護するカバーが使用されている。
【０００４】
図１は、従来技術による掘削機の外観図を示したものであって、ブーム１０を移動し得るようブームシリンダ２０が装着されている構造であり、且つ、ブームシリンダの外側面にシリンダ保護カバー３０が装着されている。シリンダ保護カバー３０は、該一端がシリンダロッドのヘッド部分にカバー装着用ボルト４０により締め付けられ、且つ、シリンダロッドが伸縮移動する際、シリンダに装着されたシリンダガイドに沿って移動するよう結合される。
【０００５】
図２は、図１のＡ−Ａ線に沿って切断した断面図であり、シリンダロッドが伸縮移動する際、シリンダ保護カバー３０に連結されたカバーガイド５０と、ブームシリンダ２０に連結されたシリンダガイド６０とが接触される構造であり、且つ、シリンダロッドが外部へ露出されないようシリンダ保護カバー３０により保護される。
【０００６】
従来技術は、シリンダロッドが外部へ露出されないように保護する役割は果したが、掘削機などのような建設重装備の作業時に激しい振動が起こり、シリンダ保護カバー３０が該振動により動く場合にはシリンダ保護カバー３０の内側面とシリンダ又はシリンダガイドとの間に隙間が生じて、互いに衝突し、且つ損傷して、不愉快な音が発生し得る惧れがあった。
【発明の開示】
【発明が解決しようとする課題】
【０００７】
本発明は、前記従来技術の問題点に鑑みてなされたものであり、その目的は、作業時に生じ得る振動によりシリンダ保護カバーがシリンダ又はシリンダガイドと衝突することを防止し得るシリンダ保護装置を提供する。
【０００８】
また、シリンダ保護カバーとシリンダ又はシリンダガイドとの間に生じる隙間により異音が発生することを防止し得るシリンダ保護装置を提供する。
【課題を解決するための手段】
【０００９】
前記目的等を達成するために、本発明は、シリンダロッドヘッドに一端が固定され、且つシリンダの長手方向に他端が延長されて、シリンダロッドとシリンダとを保護するとともに、シリンダロッドが伸縮移動することによって移動されるシリンダ保護カバーと、前記シリンダ外面に装着され、前記シリンダ保護カバーの移動を案内するシリンダガイドと、前記シリンダ保護用カバーの内側に装着され、且つ、該一面の形状は、前記シリンダカイドの一面と接触面をなすよう前記シリンダガイドの形状に対応する衝撃吸収材とを、包含して構成される。
【００１０】
また、前記シリンダ保護カバーは、横方向に両端が折り曲げられて、該両端部の断面が略‘コ’字状の内部空間をもつことになり、且つ、前記衝撃吸収材は、前記シリンダ保護カバーの内部空間に装着され、該一面には溝が設けられ、前記シリンダガイドは、前記シリンダ保護カバーが移動できるよう前記衝撃吸収材の溝に挿入されることになる。
【００１１】
さらに、前記衝撃吸収材は、該内部に貫通孔が形成されていて、ボルト結合により締め付けられる。
さらにまた、前記衝撃吸収材の材質は、ポリウレタンが好ましい。
【発明の効果】
【００１２】
前述した如く、本発明によると、掘削機などのような建設重装備の作業時にシリンダロッドが伸縮移動することにより生じ得る振動のため、シリンダ保護カバーがシリンダ又はシリンダガイドと衝突することを防止するという効果を奏する。
【００１３】
また、シリンダ保護カバーとシリンダ又はシリンダガイドとの間に生じる隙間により、異音が発生されることを防止するという効果をも奏する。
【発明を実施するための最良の形態】
【００１４】
以下では、図３ないし図６を参照として本発明の一実施形態を詳しく説明する。
図３には、本発明のシリンダ保護装置が示されている。シリンダ保護カバー３０の内側には、従来技術のカバーガイド５０の役割を奏する衝撃吸収材５０’が結合され、前記衝撃吸収材５０’の一面の形状がシリンダガイド６０の形状に対応するため、シリンダ保護カバー３０がシリンダの外面に装着されたシリンダガイド６０に沿って移動し得ることになる。
【００１５】
また、衝撃吸収材５０’がシリンダ保護カバー３０の内側面と接触し、且つ固定されているため、振動によりシリンダ保護カバー３０が動いても、シリンダ保護カバー３０の内側面とシリンダガイド６０とが衝突されたり、且つ異音が発生したりすることを防ぐことができる。前記衝撃吸収材５０’は、ポリウレタン材が好ましく、シリンダ保護カバー３０に容易に着脱できるよう内部に貫通孔が設けられ、且つ、衝撃吸収材装着用ボルト７０により結合される。但し、衝撃吸収材に使用し得る材質又は結合方式は、前記実施形態に限定されないことはいうまでもない。
【００１６】
図４は、図３に示された本発明の一実施形態によるシリンダ保護カバーと衝撃吸収材とを示した図面であって、 衝撃吸収材５０’がシリンダ保護カバー３０に衝撃吸収材装着用ボルト７０により結合されている。また、Ａ−Ａ線による詳細断面図には、衝撃吸収材５０’の一面が、シリンダガイド６０に対応するよう突出された形状であることが表れている。
【００１７】
図５には、本発明のシリンダ保護カバー３０の他の実施形態が示されていて、前記シリンダ保護カバー３０は横方向に両端が折り曲げられて、両端部の断面が略‘コ’字形状の内部空間を形成している。また、衝撃吸収材５０’は、シリンダ保護カバー３０に形成された内部空間に装着され、その一面には溝が形成されて、シリンダガイドもここに挿入され、シリンダ保護カバー３０が移動できるよう前記溝に対応する形状をなす。従って、振動によりシリンダ保護カバー３０が動いた場合にも、衝撃吸収材５０’が装着されているため、シリンダ保護カバー３０とシリンダガイド６０とが衝突し、異音を発生させることが防止できる。前記衝撃吸収材はポリウレタン材であり、かつボルト結合することが好ましいが、これに限定されるものではない。
【００１８】
図６は、図５に示された一実施形態によるシリンダ保護カバーと衝撃吸収材とを示した図面であって、シリンダ保護カバー３０に両端部の断面が略‘コ’字形状である内部空間が形成されて、その内側に、内部貫通孔を有する衝撃吸収材５０’がボルト７０により締め付けられる。また、衝撃吸収材５０’の一面には溝があり、シリンダガイド６０の形状に対応することになる。
【００１９】
以上で述べたように、本発明は、シリンダ保護装置の関連分野において、通常の知識を有する者が容易に実施し得る程度内で詳細に説明するためのものであって、これに限定されるものではなく、本発明の技術的思想及び範疇を逸脱しない範囲において様々に変形して実施することが可能となる。
【図面の簡単な説明】
【００２０】
【図１】一般の掘削機装備の外観図である
【図２】従来技術によるシリンダ保護装置の断面図である。
【図３】本発明の一実施形態によるシリンダ保護装置を示した断面図である。
【図４】図３に示されたシリンダ保護カバーと衝撃吸収材と示した図面である。
【図５】本発明の他の実施形態によるシリンダ保護装置を示した断面図である。
【図６】図５に示されたシリンダ保護カバーと衝撃吸収材と示した図面である。
【符号の説明】
【００２１】
１０    ブーム
２０    ブームシリンダ
３０    シリンダ保護カバー
５０    カバーガイド
５０’  衝撃吸収材
６０    シンリダガイド
７０    ボルト
【図１】
2005320848.tif 000003
【図２】
2005320848.tif 000004
【図３】
2005320848.tif 000005
【図４】
2005320848.tif 000006
【図５】
2005320848.tif 000007
【図６】
2005320848.tif 000008